(57)【要約】【課題】精度高く簡単に検出することができる、分散アドレス用のマークが加わった光ディスクを提供する。【解決手段】分散アドレスは、同期マーク、正マーク、負マークで構成する。ウォブルするグルーブを一部不連続にしたり、一部変形してグルーブに沿って同期マーク、正マーク、負マークを形成する。【選択図】図３
2010061804.tif 000002
【特許請求の範囲】
【請求項１】
らせん状又は同心円状に伸びるトラックを有する書換可能な光ディスクにおいて、
トラックに沿って正弦波状にウォブルさせて形成したグルーブと、
トラックに沿って設けたセクタブロックと、
各セクタブロックを複数に分割して設けたセクタと、
各セクタブロックの先頭のセクタに形成した同期マークと、
各セクタブロックの先頭以外のセクタのそれぞれに形成した正マークまたは負マークとからなる光ディスクであって、
該正マークは、トラック方向に第１幅Ｗ１でグルーブが不連続となる第１グルーブ不連続部で形成し、
該負マークは、トラック方向に第２幅Ｗ０でグルーブが不連続となる第２グルーブ不連続部で形成し、
該同期マークは、トラック方向に第３幅Ｗｓでグルーブが不連続となる第３グルーブ不連続部で形成したことを特徴とする光ディスク。
【請求項２】
請求項１に記載の光ディスクに含まれる正マーク、負マークから得られる「１」、「０」のデータを集め、該セクタブロックのアドレスを読み取るアドレス読み取り方法、又は、アドレス読み取り装置。
【請求項３】
請求項１に記載の光ディスクを製造するための製造方法、又は、
前記製造方法を実現するための製造設備、又は、
前記製造方法を実行するためのプログラム、又は、
前記プログラムを電子計算機によって実行可能な形式で格納するための格納媒体。
【発明の詳細な説明】
【技術分野】
【０００１】
本発明は、光学的に書き換え可能な光ディスクならびに光ディスクに予め書き込まれたアドレスの読取装置および方法に関する。
【背景技術】
【０００２】
近年、ユーザによる記録が可能な光ディスクとして、ＤＶＤ−ＲＡＭ、ＣＤ−ＲＷ、ＭＤなどがある。これら記録可能な光ディスクは、らせん状または同心円状の複数のトラックに沿ってグルーブを形成し、グルーブの表面を相変化材料又は光磁気材料で形成することにより作られる。また、光ディスク上の位置を特定するため、トラックには予め書換不可能なマークによりアドレスが記録されている。かかるアドレスの一例が特開平８−３１５４２６号明細書に開示されている。
特開平８−３１５４２６号明細書によれば、グルーブに不連続部を設け、この不連続部をアドレス信号に対応したパターンに形成するとある。ここで言うアドレス信号に対応したパターンとは、不連続部が現れる毎に反転する２値化信号を言い、ＡＴＩＰ(Absolute Time In Pregroove)信号を生成するためのオン、オフ信号である。従って、不連続部は、単に有りか無しかを表す信号として用いられている。
【先行技術文献】
【特許文献】
【０００３】
【特許文献１】特開平８−３１５４２６号公報
【発明の概要】
【発明が解決しようとする課題】
【０００４】
ところが、より記録密度の高い光ディスクを作るためには、より多くのアドレス情報が必要とされる一方、より効率よくアドレス情報を付与する必要がある。ところが、上記従来例にあっては、不連続部は反転するためのトリガ信号でしかなく、一つの意味の情報（トリガ情報）しか持つことが出来なかった。従って多くのマークが必要である。
また、上記従来例にあっては、ＡＴＩＰ信号を利用しているので、トラックのおよその位置は特定できるが、記録開始点が精度よく検出できない。従って、記録をした後、新たに追加して記録をする場合や、記録済みデータ中の一部を書換する場合、前の必要なデータの上に新たなデータを上書きしてしまうこともある。また、トラックピッチを狭くすると、クロストークが発生しやすくなる。
【課題を解決するための手段】
【０００５】
本発明は、グルーブに不連続部または変形部を形成し、かかる不連続部または変形部に２つまたはそれ以上の意味を持たせ、より効率よくアドレス情報を付与することが出来る光ディスクを提供する。
また、記録開始点の位置決めの精度を高くすることが可能な光ディスクを提供する。
さらに、トラックピッチを狭くすることが出来る光ディスクを提供する。
また、完全なＣＬＶ(Constant Linear Velocity)で記録再生が可能な光ディスクを提供する。
また、本発明は、グルーブの不連続部または変形部に２つまたはそれ以上の意味を持たせてアドレス情報が付与された光ディスクから、かかるアドレス情報を簡単な構成で正確に読み取る装置及び方法を提供する。
【０００６】
請求項１の発明は、らせん状又は同心円状に伸びるトラックを有する書換可能な光ディスクにおいて、
トラックに沿って正弦波状にウォブルさせて形成したグルーブと、
トラックに沿って設けたセクタブロックと、
各セクタブロックを複数に分割して設けたセクタと、
各セクタブロックの先頭のセクタに形成した同期マークと、
各セクタブロックの先頭以外のセクタのそれぞれに形成した正マークまたは負マークとからなる光ディスクであって、
該正マークは、トラック方向に第１幅Ｗ１でグルーブが不連続となる第１グルーブ不連続部で形成し、
該負マークは、トラック方向に第２幅Ｗ０でグルーブが不連続となる第２グルーブ不連続部で形成し、
該同期マークは、トラック方向に第３幅Ｗｓでグルーブが不連続となる第３グルーブ不連続部で形成したことを特徴とする光ディスクである。
【０００７】
請求項２の発明は、上記第１、第２、第３グルーブ不連続部は表面がミラーとなっていることを特徴とする請求項１記載の光ディスクである。
【０００８】
請求項３の発明は、上記第１、第２、第３グルーブ不連続部は、いずれもウォブルするグルーブの振幅最大部に形成したことを特徴とする請求項１記載の光ディスクである。
【０００９】
請求項４の発明は、上記第１、第２、第３グルーブ不連続部は、いずれもウォブルするグルーブの振幅最小部に形成したことを特徴とする請求項１記載の光ディスクである。
【００１０】
請求項５の発明は、上記第１、第２、第３幅Ｗ１、Ｗ０、Ｗｓは、いずれもグルーブに記録される記録データに含まれる最長マーク長より長く、ウォブル周期の１／２以下であることを特徴とする請求項１記載の光ディスクである。
【００１１】
請求項６の発明は、上記第１、第２、第３幅Ｗ１、Ｗ０、Ｗｓは、いずれもグルーブに記録される記録データに含まれる最長マーク長より長く、ウォブル周期の１／４以下であることを特徴とする請求項１記載の光ディスクである。
【００１２】
請求項７の発明は、上記第１、第２、第３幅Ｗ１、Ｗ０、Ｗｓの比率は、いずれかひとつを１とすれば、残り２つを２：４の割合にしたことを特徴とする請求項１記載の光ディスクである。
【００１３】
請求項８の発明は、上記第１、第２、第３幅Ｗ１、Ｗ０、Ｗｓの比率は、２：１：４であることを特徴とする請求項１記載の光ディスクである。
【００１４】
請求項９の発明は、上記第１、第２、第３幅Ｗ１、Ｗ０、Ｗｓは、それぞれ２バイト、１バイト、４バイトであることを特徴とする請求項１記載の光ディスクである。
【００１５】
請求項１０の発明は、らせん状又は同心円状に伸びるトラックを有する書換可能な光ディスクにおいて、
トラックに沿って正弦波状にウォブルさせて形成したグルーブと、
トラックに沿って設けたセクタブロックと、
各セクタブロックを複数に分割して設けたセクタと、
各セクタブロックの先頭のセクタに形成した同期マークと、
各セクタブロックの先頭以外のセクタのそれぞれに形成した正マークまたは負マークとからなる光ディスクであって、
該正マーク、該負マーク、該同期マークのそれぞれは、グルーブが局部的にトラックの垂直方向であって第１方向にズレるグルーブ上ズレ部、グルーブが局部的にトラックの垂直方向であって第２方向にズレるグルーブ下ズレ部、またはグルーブ下ズレ部とグルーブ上ズレ部の組合せ部のいずれかで形成したことを特徴とする光ディスクである。
【００１６】
請求項１１の発明は、該正マークはグルーブ上ズレ部で形成し、該負マークはグルーブ下ズレ部で形成し、該同期マークは、グルーブ下ズレ部とグルーブ上ズレ部の組合せ部で形成したことを特徴とする請求項１０記載の光ディスクである。
【００１７】
請求項１２の発明は、上記グルーブ下ズレ部、グルーブ上ズレ部は、それぞれウォブルするグルーブの振幅最大部に設け、トラックの中心方向にズレていることを特徴とする請求項１０記載の光ディスクである。
【００１８】
請求項１３の発明は、上記同期マークのグルーブ下ズレ部とグルーブ上ズレ部は、互いにウォブル周期のｎ＋（１／２）倍（ｎは正の整数）で隣接していることを特徴とする請求項１０記載の光ディスクである。
【００１９】
請求項１４の発明は、上記ｎは０であることを特徴とする請求項１３記載の光ディスクである。
【００２０】
請求項１５の発明は、らせん状又は同心円状に伸びるトラックを有する書換可能な光ディスクにおいて、
トラックに沿って正弦波状にウォブルさせて形成したグルーブと、
トラックに沿って設けたセクタブロックと、
各セクタブロックを複数に分割して設けたセクタと、
各セクタブロックの先頭のセクタに形成した同期マークと、
各セクタブロックの先頭以外のセクタのそれぞれに形成した正マークまたは負マークとからなる光ディスクであって、
該正マーク、該負マーク、該同期マークのそれぞれは、ウォブルするグルーブの谷からウォブル周期の大略１／４の部分までの位相を上下に反転させたグルーブ上り位相反転部、ウォブルするグルーブの山からウォブル周期の大略１／４の部分までの位相を上下に反転させたグルーブ下り位相反転部、グルーブ下り位相反転部とグルーブ上り位相反転部の組合せ部のいずれかで形成したことを特徴とする光ディスクである。
【００２１】
請求項１６の発明は、該正マークはグルーブ上り位相反転部で形成し、該負マークはグルーブ下り位相反転部で形成し、該同期マークはグルーブ下り位相反転部とグルーブ上り位相反転部の組合せ部で形成したことを特徴とする請求項１５記載の光ディスクである。
【００２２】
請求項１７の発明は、上記グルーブ下り位相反転部と、グルーブ上り位相反転部のそれぞれの両端は、グルーブが不連続になっていることを特徴とする請求項１５記載の光ディスクである。
【００２３】
請求項１８の発明は、上記グルーブ下り位相反転部と、グルーブ上り位相反転部のそれぞれの両端は、急峻に変位するグルーブであることを特徴とする請求項１５記載の光ディスクである。
【００２４】
請求項１９の発明は、らせん状又は同心円状に伸びるトラックを有する書換可能な光ディスクにおいて、
トラックに沿って正弦波状にウォブルさせて形成したグルーブと、
トラックに沿って設け、複数のセクタに分割されたセクタブロックとを有する光ディスクであって、
各セクタブロックの所定の複数のセクタに形成した正マークと、
各セクタブロックの別の所定の複数のセクタに形成した負マークとを有し、
該正マーク、該負マークは、ウォブルする正弦波状のグルーブの一部を変形させ、下から上に急激に変化する第1部分と、上から下に急激に変化する第2部分とを用いて表し、該第1部分と第2部分を用いてセクタブロックのアドレス情報を表すことを特徴とする光ディスクである。
【００２５】
請求項２０の発明は、該正マークは上記第1部で形成し、該負マークは上記第2部で形成したことを特徴とする請求項１９記載の光ディスクである。
【００２６】
請求項２１の発明は、該正マーク、該負マークのそれぞれは、上記第1部を複数サイクル繰り返したもの、上記第2部を複数サイクル繰り返したもののいずれかで形成したことを特徴とする請求項１９記載の光ディスクである。
【００２７】
請求項２２の発明は、該正マークは上記第1部を複数サイクル繰り返したもので形成し、該負マークは上記第2部を複数サイクル繰り返したもので形成したことを特徴とする請求項２１記載の光ディスクである。
【００２８】
請求項２３の発明は、請求項１に記載の光ディスクに含まれる同期マーク、正マーク、負マークを検出し、ひとつのセクタブロックに分散して含まれる正マーク及び負マークから得られる「１」、「０」のデータを集め、該セクタブロックのアドレスを読み取るアドレス読取装置であって、
光ディスクのトラックにレーザ光を照射し、トラック方向に沿って２分割された２つの受光素子で反射光を受光する光ヘッド（２）と、
２つの受光素子からの信号の差を取り、差信号を生成する減算器（４）と、
ウォブルするトラックのウォブル周波数成分を除去し、グルーブ不連続部パルスを生成するフィルタ（６）と、
グルーブ不連続部パルスの幅を検出し、幅に応じて同期マーク、正マーク、負マークを判別し、同期マーク信号、正マーク信号、負マーク信号を生成する判別器（１２）と、
ひとつの同期マーク信号から、次の同期マーク信号までに含まれる正マーク信号、負マーク信号に対応して「１」、「０」を生成する復調器（１４）とから成ることを特徴とするアドレス読取装置である。
【００２９】
請求項２４の発明は、請求項１に記載の光ディスクに含まれる同期マーク、正マーク、負マークを検出し、ひとつのセクタブロックに分散して含まれる正マーク及び負マークから得られる「１」、「０」のデータを集め、該セクタブロックのアドレスを読み取るアドレス読取方法であって、
光ディスクのトラックにレーザ光を照射し、トラック方向に沿って２分割された２つの受光素子で反射光を受光し、
２つの受光素子からの信号の差を取り、差信号を生成し、
ウォブルするトラックのウォブル周波数成分を除去し、グルーブ不連続部パルスを生成し、
グルーブ不連続部パルスの幅を検出し、幅に応じて同期マーク、正マーク、負マークを判別し、同期マーク信号、正マーク信号、負マーク信号を生成し、
ひとつの同期マーク信号から、次の同期マーク信号までに含まれる正マーク信号、負マーク信号に対応して「１」、「０」を生成することを特徴とするアドレス読取方法である。
【００３０】
請求項２５の発明は、請求項１０に記載の光ディスクに含まれる同期マーク、正マーク、負マークを検出し、ひとつのセクタブロックに分散して含まれる正マーク及び負マークから得られる「１」、「０」のデータを集め、該セクタブロックのアドレスを読み取るアドレス読取装置であって、
光ディスクのトラックにレーザ光を照射し、トラック方向に沿って２分割された２つの受光素子で反射光を受光する光ヘッド（２）と、
２つの受光素子からの信号の差を取り、差信号を生成する減算器（４）と、
ウォブルするトラックのウォブル周波数成分を除去し、負方向のグルーブ下ズレ部パルスと正方向のグルーブ上ズレ部パルスを生成するフィルタ（６）と、
正マーク、負マーク、同期マークのそれぞれを、グルーブ上ズレ部パルス、グルーブ下ズレ部パルス、グルーブ下ズレ部パルスとグルーブ上ズレ部パルスの対のいずれかで判別し、正マーク信号、負マーク信号、同期マーク信号を生成する判別器（５２，５４，１２）と、
ひとつの同期マーク信号から、次の同期マーク信号までに含まれる正マーク信号、負マーク信号に対応して「１」、「０」を生成する復調器（１４）とから成ることを特徴とするアドレス読取装置である。
【００３１】
請求項２６の発明は、請求項１０に記載の光ディスクに含まれる同期マーク、正マーク、負マークを検出し、ひとつのセクタブロックに分散して含まれる正マーク及び負マークから得られる「１」、「０」のデータを集め、該セクタブロックのアドレスを読み取るアドレス読取方法であって、
光ディスクのトラックにレーザ光を照射し、トラック方向に沿って２分割された２つの受光素子で反射光を受光し、
２つの受光素子からの信号の差を取り、差信号を生成し、
ウォブルするトラックのウォブル周波数成分を除去し、負方向のグルーブ下ズレ部パルスと正方向のグルーブ上ズレ部パルスを生成し、
正マーク、負マーク、同期マークのそれぞれを、グルーブ上ズレ部パルス、グルーブ下ズレ部パルス、グルーブ下ズレ部パルスとグルーブ上ズレ部パルスの対のいずれかで判別し、正マーク信号、負マーク信号、同期マーク信号を生成し、
ひとつの同期マーク信号から、次の同期マーク信号までに含まれる正マーク信号、負マーク信号に対応して「１」、「０」を生成することを特徴とするアドレス読取方法である。
【００３２】
請求項２７の発明は、請求項１５に記載の光ディスクに含まれる同期マーク、正マーク、負マークを検出し、ひとつのセクタブロックに分散して含まれる正マーク及び負マークから得られる「１」、「０」のデータを集め、該セクタブロックのアドレスを読み取るアドレス読取装置であって、
光ディスクのトラックにレーザ光を照射し、トラック方向に沿って２分割された２つの受光素子で反射光を受光する光ヘッド（２）と、
２つの受光素子からの信号の差を取り、差信号を生成する減算器（４）と、
ウォブルするトラックのウォブル周波数成分を除去し、負方向のグルーブ下り位相反転部パルスと正方向のグルーブ上り位相反転部パルスを生成するフィルタ（６）と、
正マーク、負マーク、同期マークのそれぞれを、グルーブ上り位相反転部パルス、グルーブ下り位相反転部パルス、グルーブ下り位相反転部パルスとグルーブ上り位相反転部パルスの対のいずれかで判別し、正マーク信号、負マーク信号、同期マーク信号を生成する判別器（５２，５４，１２）と、
ひとつの同期マーク信号から、次の同期マーク信号までに含まれる正マーク信号、負マーク信号に対応して「１」、「０」を生成する復調器（１４）とから成ることを特徴とするアドレス読取装置である。
【００３３】
請求項２８の発明は、請求項１５に記載の光ディスクに含まれる同期マーク、正マーク、負マークを検出し、ひとつのセクタブロックに分散して含まれる正マーク及び負マークから得られる「１」、「０」のデータを集め、該セクタブロックのアドレスを読み取るアドレス読取方法であって、
光ディスクのトラックにレーザ光を照射し、トラック方向に沿って２分割された２つの受光素子で反射光を受光し、
２つの受光素子からの信号の差を取り、差信号を生成し、
ウォブルするトラックのウォブル周波数成分を除去し、負方向のグルーブ下り位相反転部パルスと正方向のグルーブ上り位相反転部パルスを生成し、
正マーク、負マーク、同期マークのそれぞれを、グルーブ上り位相反転部パルス、グルーブ下り位相反転部パルス、グルーブ下り位相反転部パルスとグルーブ上り位相反転部パルスの対のいずれかで判別し、正マーク信号、負マーク信号、同期マーク信号を生成し、
ひとつの同期マーク信号から、次の同期マーク信号までに含まれる正マーク信号、負マーク信号に対応して「１」、「０」を生成することを特徴とするアドレス読取方法である。
【００３４】
請求項２９の発明は、請求項１９に記載の光ディスクに含まれる正マーク、負マークを検出し、ひとつのセクタブロックに分散して含まれる正マーク及び負マークから得られる「１」、「０」のデータを集め、該セクタブロックのアドレスを読み取るアドレス読取装置であって、
光ディスクのトラックにレーザ光を照射し、トラック方向に沿って２分割された２つの受光素子で反射光を受光する光ヘッド（２）と、
２つの受光素子からの信号の差を取り、差信号を生成する減算器（４）と、
ウォブルするトラックのウォブル周波数成分を除去し、上記第1部に対応する正方向パルスと上記第2部に対応する負方向パルスを生成するフィルタ（６）と、
正マーク、負マークのそれぞれを、正方向パルス、負方向パルスのいずれかで判別し、正マーク信号、負マーク信号を生成する判別器（５２，５４，１２）と、
ひとつのセクタブロックに含まれる正マーク信号、負マーク信号に対応して「１」、「０」を生成する復調器（１４）とから成ることを特徴とするアドレス読取装置である。
【００３５】
請求項３０の発明は、請求項１９に記載の光ディスクに含まれる正マーク、負マークを検出し、ひとつのセクタブロックに分散して含まれる正マーク及び負マークから得られる「１」、「０」のデータを集め、該セクタブロックのアドレスを読み取るアドレス読取方法であって、
光ディスクのトラックにレーザ光を照射し、トラック方向に沿って２分割された２つの受光素子で反射光を受光し、
２つの受光素子からの信号の差を取り、差信号を生成し、
ウォブルするトラックのウォブル周波数成分を除去し、上記第1部に対応する正方向パルスと上記第2部に対応する負方向パルスを生成し、
正マーク、負マークのそれぞれを、正方向パルス、負方向パルスのいずれかで判別し、正マーク信号、負マーク信号を生成し、
ひとつのセクタブロックに含まれる正マーク信号、負マーク信号に対応して「１」、「０」を生成することを特徴とするアドレス読取方法である。
【００３６】
請求項３１の発明は、請求項２１に記載の光ディスクに含まれる正マーク、負マークを検出し、ひとつのセクタブロックに分散して含まれる正マーク及び負マークから得られる「１」、「０」のデータを集め、該セクタブロックのアドレスを読み取るアドレス読取装置であって、
光ディスクのトラックにレーザ光を照射し、トラック方向に沿って２分割された２つの受光素子で反射光を受光する光ヘッド（２）と、
２つの受光素子からの信号の差を取り、差信号を生成する減算器（４）と、
ウォブルするトラックのウォブル周波数成分を除去し、上記第1部に対応する正方向パルスと上記第2部に対応する負方向パルスを生成するフィルタ（６）と、
ひとつのセクタあたりに含まれる負方向パルスの数をカウントする第１積算器（９３）と、
ひとつのセクタあたりに含まれる正方向パルスの数をカウントする第２積算器（９４）と、
第１積算器の第１カウント値と第２積算器の第２カウント値を比較し、正マーク、負マークのそれぞれを、第１カウント値が十分に多い場合、第２カウント値が十分に多い場合のいずれかで判別し、正マーク信号、負マーク信号を生成する判別器（９５−９９）と、
ひとつのセクタブロックに含まれる正マーク信号、負マーク信号に対応して「１」、「０」を生成する復調器（１４）とから成ることを特徴とするアドレス読取装置である。
【００３７】
請求項３２の発明は、請求項２１に記載の光ディスクに含まれる正マーク、負マークを検出し、ひとつのセクタブロックに分散して含まれる正マーク及び負マークから得られる「１」、「０」のデータを集め、該セクタブロックのアドレスを読み取るアドレス読取方法であって、
光ディスクのトラックにレーザ光を照射し、トラック方向に沿って２分割された２つの受光素子で反射光を受光し、
２つの受光素子からの信号の差を取り、差信号を生成し、
ウォブルするトラックのウォブル周波数成分を除去し、上記第1部に対応する正方向パルスと上記第2部に対応する負方向パルスを生成し、
ひとつのセクタあたりに含まれる負方向パルスの数を第１カウント値としてカウントし、
ひとつのセクタあたりに含まれる正方向パルスの数を第２カウント値としてカウントし、
第１カウント値と第２カウント値を比較し、正マーク、負マークのそれぞれを、第１カウント値が十分に多い場合、第２カウント値が十分に多い場合のいずれかで判別し、正マーク信号、負マーク信号を生成し、
ひとつのセクタブロックに含まれる正マーク信号、負マーク信号に対応して「１」、「０」を生成することを特徴とするアドレス読取方法である。
【００３８】
請求項３３の発明は、セクタブロックの先頭位置を表すブロックマークを有することを特徴とする請求項１９記載の光ディスクである。
【００３９】
請求項３４の発明は、前記ブロックマークはトラックグルーブに不連続部を設けて形成されたことを特徴とする請求項３３記載の光ディスクである。
【００４０】
請求項３５の発明は、前記ブロックマークはトラックグルーブの幅を局所的に変えて形成されたことを特徴とする請求項３３記載の光ディスクである。
【００４１】
請求項３６の発明は、前記ブロックマークはウォブルの振幅を局所的に変えて形成されたことを特徴とする請求項３３記載の光ディスクである。
【００４２】
請求項３７の発明は、１サイクルのウォブルは、正マーク、負マークに応じて、そのデューティー比が異なるように形成されたことを特徴とする請求項１９記載の光ディスクである。
【００４３】
請求項３８の発明は、トラックグルーブの片側のエッジにのみウォブルが設けられたことを特徴とする請求項１９記載の光ディスクである。
【００４４】
請求項３９の発明は、前記正マークは、ウォブルする正弦波状のグルーブの一部であって、２つの連続する湾曲部分に挟まれた下から上に変化する部分を、正弦波と比べ、より急激に変化させて設けたことを特徴とする請求項１９記載の光ディスクである。
【００４５】
請求項４０の発明は、前記負マークは、ウォブルする正弦波状のグルーブの一部であって、２つの連続する湾曲部分に挟まれた上から下に変化する部分を、正弦波と比べ、より急激に変化させて設けたことを特徴とする請求項１９記載の光ディスクである。
【発明の効果】
【００４６】
ウォブルするグルーブに複数の異なった形態でグルーブ変形部を設けているので、各グルーブ変形部に、その変形部の有り無しを識別するだけでなく、更に別の意味を持たせることが可能となる。従って、グルーブ変形部の少ない数で、多くの情報を与えることが可能となる。
また、アドレス読取装置は、簡単な構成で、効率よく正確に分散アドレスを読み取ることが出来る。
【図面の簡単な説明】
【００４７】
【図１】図１Ａは、本発明にかかる光ディスクの平面図、図１Ｂはセクタブロックの概略図である。
【図２】図２Ａは、セクタブロックに設けた分散アドレスの説明図、図２Ｂは分散アドレスマークが形成されたグルーブの概略図である。
【図３】第１の実施の形態によるグルーブ不連続部を有する光ディスクの部分拡大図である。
【図４】図３に示す光ディスクのアドレス読取装置のブロック図である。
【図５】図４に示す装置の主要点における信号の波形図である。
【図６】図４に示す判別器のブロック図である。
【図７】図４に示す復調器のブロック図である。
【図８】グルーブ不連続部の変形例であるグルーブズレ部を示す拡大図である。
【図９】グルーブ不連続部の変形例であるグルーブズレ部を示す拡大図である。
【図１０】第２の実施の形態によるグルーブズレ部によるマークを有する光ディスクの部分拡大図である。
【図１１】図１０に示す光ディスクのアドレス読取装置のブロック図である。
【図１２】図１０の光ディスクを用いた場合、図１１の減算器からの出力信号の波形図である。
【図１３】図１０の光ディスクを用いた場合、図１１のフィルタからの出力信号の波形図である。
【図１４】図１０の光ディスクを用いた場合、図１１の比較器からの出力信号の波形図である。
【図１５】不連続のグルーブ位相反転部の拡大図である。
【図１６】連続のグルーブ位相反転部の拡大図である。
【図１７】グルーブ位相反転部によるマークを有する光ディスクの部分拡大図である。
【図１８】図１７の光ディスクを用いた場合、図１１の減算器からの出力信号の波形図である。
【図１９】図１７の光ディスクを用いた場合、図１１のフィルタからの出力信号の波形図である。
【図２０】図１７の光ディスクを用いた場合、図１１の比較器からの出力信号の波形図である。
【図２１】グルーブ矩形部の拡大図である。
【図２２】グルーブ矩形部によるマークを有する光ディスクの部分拡大図である。
【図２３】図２２の光ディスクを用いた場合、図１１の減算器からの出力信号の波形図である。
【図２４】図２２の光ディスクを用いた場合、図１１のフィルタからの出力信号の波形図である。
【図２５】図２２の光ディスクを用いた場合、図１１の比較器からの出力信号の波形図である。
【図２６】記録の開始位置を統一するグルーブ不連続部を設けた光ディスクの拡大図である。
【図２７】連続したグルーブ矩形部によるマークを有する光ディスクの部分拡大図である。
【図２８】図２７の光ディスクを用いた場合、図３１の矩形部検出器の減算器からの出力信号の波形図である。
【図２９】図２７の光ディスクを用いた場合、図３１の矩形部検出器のフィルタからの出力信号の波形図である。
【図３０】図２２の光ディスクを用いた場合、図３１の矩形部検出器の比較器からの出力信号の波形図である。
【図３１】図２７に示す光ディスクのアドレス読取装置のブロック図である。
【図３２】デューティ比を変えたウォブルを示す平面図である。
【図３３】ブロックマークを示す平面図である。
【図３４】別のブロックマークを示す平面図である。
【図３５】ウォブルをグルーブの片側にのみ設けた場合の斜視図である。
【発明を実施するための形態】
【００４８】
以下、本発明の実施の形態について図面を参照しながら説明する。
（実施の形態１）
図１Ａは本発明の第１の実施の形態における光ディスクの構成図であり、Ｂはセクタの配列を示した説明図である。図１Ａにおいて１０１は光ディスク基板、１０２はディスク製造時にあらかじめ形成されたヘッダ部、１０３は情報の記録が可能な記録部、１０４はデータの情報単位であるセクタを表す。図１Ｂにおいて１０５は所定数、たとえば３２個、のセクタを１単位とするセクタブロックを表す。
光ディスク基板１０１には光学的にアモルファス、クリスタルというように相状態を変化させて記録し、再生時には反射率差によって信号を読み取る相変化膜があらかじめ形成されている。
次に、図２Ａを用いてセクタ１０４とセクタブロック１０５の関係を詳細に説明する。
【００４９】
本実施の形態の光ディスクは、トラックが、連続するセクタブロック１０５によって構成されている。上述したようにそれぞれのセクタブロック１０５は３２個のセクタ１０４から構成され、各セクタ１０４の構成は、先頭部分にヘッダ部１０２が存在し、信号の記録再生が行われる記録部１０３がさらに続く。また、１セクタの長さは、２４４８バイトとする。
各セクタブロック１０５において、先頭に配置されたセクタ１０４のヘッダ部１０２には同期マーク「Ｓ」が設けられている。この同期マーク「Ｓ」を検出することによって、セクタブロック１０５の先頭を検出可能としている。
【００５０】
次に、そのセクタブロック１０５内の2番目に配置されたセクタ１０４のヘッダ部１０２には、正マークまたは負マークが設けられている。ここで、正マークを「１」、負マークを「０」という情報を割り当てる。図２Ａに示す例においては、２番目に配置されたセクタ１０４のヘッダ部には負マーク「０」が割り当てられている。このように、2番目以降の各セクタ１０４（後続セクタという）のヘッダ部にそれぞれ１ビットの情報を加えることができる。
【００５１】
このように、セクタブロック１０５に含まれる３２個のセクタのヘッダ部の情報をまとめると、同期マーク「Ｓ」および、これに続く正マーク「１」または負マーク「０」からなる３１ビットの情報を生成することができる。逆に言えば、セクタブロック１０５毎に３１ビットの情報を１ビット毎に分割し、３１個のセクタ１０４に分散させて配置し、その先頭にさらにセクタブロック１０５の先頭を検出するために同期マークを配置した構成である。このように０、１を分散して配置したアドレスを分散アドレスという。
【００５２】
ここで、上述した３１ビットの情報は、１９ビットを主情報、１２ビットを副情報とする。この１９ビットの主情報をセクタブロック１０５の位置情報とする。このとき、２の１９乗＝５２４２８８個のセクタブロック１０５の位置検出が可能である。したがって、光ディスク全体において先頭セクタブロックのアドレスを０とし、以降に続くセクタブロック毎に位置情報が１ずつ増す情報を割り当て、１９ビットの主情報をセクタブロック１０５の絶対位置情報とすると、例えば、セクタ１０４は２０４８バイトの情報を有し、セクタブロック１０５は６５５３６（＝２０４８×３２）バイトの情報を有するとすれば、１９ビットの位置情報によって最大３４ギガバイトのデータにアクセスできる位置情報の割り当てが可能である。
【００５３】
一方、１２ビットの副情報は、１９ビットの主情報および１２ビットの副情報の任意のビットがディフェクト等で欠落したり、再生時に誤って検出した場合でも訂正が可能なエラー訂正符号を割り当てる。これは、例えば３１ビット全情報のエラー訂正符号とする。また、セクタブロック１０５の位置情報は連続するセクタブロック１０５で１ずつ増す情報なので、上位の情報は先行のセクタブロック１０５から予測可能であることから、例えば下位８ビットのエラー訂正符号としても構わない。
分散アドレスについては、特願平１１−３４３０６０にさらに詳しい説明がある。
【００５４】
図２Ｂ示すように、本発明においては、光ディスク１０１は、らせん状または同心円状（実施の形態ではらせん状）の複数のトラックを有し、トラック上にセクタが配置されている。図１Ａの例では、半径方向の仮想線（点線）に沿って、仮想線上のみでヘッダ部（同期マーク「Ｓ］、正マーク「１」、負マーク「０」のいずれかを含む）が並んでいる例が示されているが、図２Ｂに示すように、どの半径方向においてもヘッダ部が並ばないようにするのが好ましい。
また、図３に示すようにトラックは、グルーブで形成され、隣接するトラックの間、たとえばグルーブｎとグルーブｎ＋１の間はランドになっている。ランドは、ミラーで形成されている。グルーブは、波状に蛇行するウォブル形状になっており、一例では、１セクタ当たり１５３サイクルのウォブル波が存在する。この場合、ウォブルの周期は１６バイトとなる。  記録されるデータが８−１６変調で記録される場合、１クロック長をＴで表せば、最短マークは３Ｔ、最長マークは１４Ｔとなる。また、１バイト＝１６Ｔで表せる。
【００５５】
また、本実施の形態においては、図３に示すように、正マーク「１」はトラック方向に伸びる幅Ｗ１の第１グルーブ不連続部で形成され、負マーク「０」はトラック方向に伸びる幅Ｗ０の第２グルーブ不連続部で形成され、同期マーク「Ｓ」はトラック方向に伸びる幅Ｗｓの第３グルーブ不連続部で形成される。これらのグルーブ不連続部は、ランドにおけるミラー部と同様のミラー構成となっている。
同期マーク「Ｓ」は、光ディスクの半径方向に並べる必要がない。他のマークも同様である。したがって、セクタ長をディスクのどの位置においても同じ長さとすることが出来るので、完全なＣＬＶを達成することが出来る。
また、グルーブ不連続点の直後から記録を開始することが出来るので、記録開始点を精度高く得ることが出来る。
【００５６】
このようなグルーブ不連続部による同期マーク、正マーク、負マークは、次のようにして形成される。
グルーブが形成される前の光ディスクは、全面ミラー仕上げの上にフォトレジストが塗布された構成となっている。この光ディスクを回転させ、トラックに直行して振動するレーザ光を当てると、ウォブルするグルーブが形成される。グルーブ形成中にレーザ光が中断されると、中断された時間長さに応じてグルーブが不連続となり、同期マーク「Ｓ」、正マーク「１」または負マーク「０」が形成される。好ましい実施の形態においては、同期マーク「Ｓ」、正マーク「１」、負マーク「０」のいずれもウォブルグルーブの山または谷、すなわち振幅最大部において形成され、かかるグルーブ不連続部の検出を容易にしている。このように、グルーブ不連続部でマークを形成するので、１ビームのレーザ光でカッティングが可能となる。
【００５７】
同期マーク「Ｓ」、正マーク「１」、負マーク「０」に対応するグルーブ不連続部のそれぞれの幅Ｗｓ、Ｗ１、Ｗ０は次のようにして決められる。
トラッキングエラー信号にノイズとして漏れ込む記録データ信号を、分散アドレス信号のひとつ、すなわち同期マーク「Ｓ」、正マーク「１」、負マーク「０」のいずれかの信号と誤認混同しないため、記録データに含まれる最長マーク長以上（上述の例では１４Ｔ以上）にマーク幅を選択することが好ましい。
また、同期マーク「Ｓ」、正マーク「１」、負マーク「０」は、いずれもウォブルの振幅最大点に配置され、そのためにはマーク幅をウォブル周期の１／２未満にする必要があり、検出制度を上げるためには、ウォブル周期の１／４以下にすることが好ましい。
【００５８】
以上により、同期マーク「Ｓ」、正マーク「１」、負マーク「０」のいずれのグルーブ不連続部の幅Ｗについては、
１４Ｔ＜Ｗ＜ウォブル周期の１／２                          （１）
好ましくは
１４Ｔ＜Ｗ＜ウォブル周期の１／４                          （２）
にすることが好ましい。この（１）、（２）の条件を満たし、同期マーク「Ｓ」、正マーク「１」、負マーク「０」を表すグルーブ不連続部の幅を識別しやすい比率、たとえば４：２：１で設定する。いずれのグルーブ不連続部の比率を４にしてもよいが、識別が最も重要な同期マーク「Ｓ」に対応する第３グルーブ不連続部の比率を４とし、正マーク「１」に対応するものを２（又は１）とし、負マーク「０」に対応するものを１（又は２）とする。グルーブ不連続部の幅の具体的な一例として、
第３グルーブ不連続部（同期マーク「Ｓ」）＝４バイト、
第１グルーブ不連続部（正マーク「１」）＝２バイト、
第２グルーブ不連続部（負マーク「０」）＝１バイト
とする。以上のように、グルーブ不連続部は、単にかかるグルーブ不連続部が有るか無いかをあらわしているのではなく、グルーブ不連続部の長さにより、３種類の異なった意味（正マーク「１」、負マーク「０」、同期マーク「Ｓ」）を表す。
【００５９】
図４は、図３に示す分散アドレスの読取装置を示し、図５は読取装置の主要点における出力信号の波形図を示す。図４において、２はレーザ光を放射する発光素子２ｃとトラック方向に２分割された受光素子２ａ、２ｂからなる光ヘッド、４は受光素子２ａ、２ｂからの信号の差を取り、差信号Ｓａ（図５）を出力する減算器、６は高周波成分を通過させグルーブ不連続部信号Ｓｂ（図５）を出力するハイパスフィルタ、８はグルーブ不連続部信号Ｓｂを、閾値設定器１０からの所定の閾値Ｓｃ（図５）と比較し、２値化されたグルーブ不連続部信号Ｓｄ（図５）を出力する比較器、１２は２値化されたグルーブ不連続部信号Ｓｄを第１グルーブ不連続部（正マーク「１」）、第２グルーブ不連続部（負マーク「０」）、第３グルーブ不連続部（同期マーク「Ｓ」）のいずれに該当するかを判別する判別器、１４は同期マーク「Ｓ」以降の３１ビットの正マーク「１」および負マーク「０」を順次集め、分散アドレスを連続アドレスにそろえる復調器である。減算器４から出力される差信号Ｓａは、プッシュ−プル信号であるので、トラッキングエラー信号を利用してもよい。
【００６０】
図５に示すように、差信号Ｓａは、トラックのウォブルに従って正弦波を描く。グルーブ不連続部がある場所では、差信号Ｓａはゼロになるので、グルーブ不連続部の幅に応じたパルス幅でゼロレベルが出力される。ウォブルの正弦波である低域波成分をフィルタ８で除去したグルーブ不連続部信号Ｓｂは、グルーブ不連続部によるパルスのみが存在する。このパルスを所定の閾値と比較し、2値化されたグルーブ不連続部信号Ｓｄ生成する。
図６は、判別器１２の詳細を示す。２２は２値化されたグルーブ不連続部信号Ｓｄを受け、信号Ｓｄのパルス幅を検出するパルス幅検出器である。検出された信号Ｓｄのパルス幅が１４Ｔ以下であれば無視処理部２４に送られ、その信号は無視される。
【００６１】
検出された信号Ｓｄのパルス幅が１４Ｔ以上で２４Ｔ以下であれば０−出力処理部２６に送られ、第２グルーブ不連続部信号であることが認識され、「０」を表す信号Ｓｅ（図５）が出力される。信号Ｓｅは次のグルーブ不連続部信号Ｓｄによりリセットされる。
検出された信号Ｓｄのパルス幅が２４Ｔ以上で４８Ｔ以下であれば１−出力処理部２８に送られ、第１グルーブ不連続部信号であることが認識され、「１」を表す信号Ｓｆ（図５）が出力される。信号Ｓｆは次のグルーブ不連続部信号Ｓｄによりリセットされる。
検出された信号Ｓｄのパルス幅が４８Ｔ以上で８０Ｔ以下であればＳ−出力処理部３０に送られ、第３グルーブ不連続部信号であることが認識され、セクタブロックの先頭を表す信号「Ｓ」が出力される。信号「Ｓ」は次のグルーブ不連続部信号Ｓｄによりリセットされる。
【００６２】
検出された信号Ｓｄのパルス幅が８０Ｔ以上であれば無視処理部３２に送られ、その信号は無視される。言うまでもなく、「０」を表す信号Ｓｅは負マーク「０」に対応し、「１」を表す信号Ｓｆは正マーク「１」に対応し、信号「Ｓ」は同期マーク「Ｓ」に対応する。
０−出力処理部２６からの「０」を表す信号Ｓｅ、１−出力処理部２８からの「１」を表す信号Ｓｆ、Ｓ−出力処理部３０からの信号「Ｓ」は復調器１４に送られ、分散アドレスが一つのアドレスとして認識される。
以上のように、判別器１２では、グルーブが有るか無いかの判別ではなく、グルーブ不連続部信号の長さにより、３種類の異なった意味の信号（「１」を表す信号Ｓｆ、「０」を表す信号Ｓｅ、「Ｓ」を表す信号）が生成される。
【００６３】
図７は復調器１４の詳細を示す。４２は信号Ｓｅを１ビット信号「０」に、信号Ｓｆを１ビット信号「１」に変換するエンコーダ、４４はエンコーダ４２からの１ビット信号「０」または「１」を順次受け、３１ビットのシリアルな分散アドレスをパラレルに変換するシフトレジスタ、４６は信号「Ｓ」に応答してシフトレジスタ４４に並べられた３１ビットのアドレス信号を保持するラッチ、４８は３１ビットの下位１２ビットをパリティチェック用のコードに利用するためのパリティコーダ、５０はパリティチェック用のコードを用いて３１ビットの上位１９ビットのアドレスのエラー訂正を行う誤り訂正処理部である。このようにして復調器１４から、各セクタブロックに対する１９ビットのアドレスが出力される。
なお、グルーブは、光ディスクの種類により凹部になっている場合もあれば、凸部になっている場合もある。また、ミラー部等で構成されるヘッダ部１０２は、後からデータの書き込みも可能である。
【００６４】
以上説明したアドレス読取装置は、簡単な構成で、効率よく分散アドレスを読み取ることが可能である。また、同期マーク、正マーク負マークの読取は，差信号を用いて行われるので、グルーブ上に記録された情報信号との分離が容易となる。
また、同期マーク、正マーク、負マークは、ウォブルの最大振幅の幅以内に収まっているので、隣接トラック間のクロストークが増大することは無い。
また、光ディスクの内周側と外周側とにおいてセクタの長さを変えることなくセクタが配列され、またセクタブロックの区切れ目を光ディスクの半径方向にそろえる必要が無いので、完全ＣＬＶを達成することが出来る。図１Ａに示すゾーンＣＬＶの例のように、ヘッダーを配置したセクタやセクタブロックの区切れ目が、トラック間で一致し、ディスク半径方向に集中配置されている場合、ヘッダー以外の部分とヘッダー部において光ディスクの記録層の光透過率が大きく異なる。光透過率が異なっても、光ディスクの記録面が単層の場合は、問題ないが、光ディスクの記録面が2層またはそれ以上の層で構成される場合は、記録層の透過率の局所変化は、たとえば上層から下層へのクロストークを生じるので好ましくない。その点図２Ｂに示す例の光ディスクでは、完全ＣＬＶが可能であるので、ヘッダー部をディスクの半径方向に集中させる必要が無く、分散配置でき、多層構成の光ディスクにおいても、層間のクロストークを低減できる。
【００６５】
また、完全ＣＬＶにあっては、ゾーンＣＬＶと比べて無駄なスペースを少なくすることが出来るので、ディスクの容量を上げることが出来る。
さらに、グルーブと同期マーク、正マーク、負マークは、１つのビームによりカッティングが可能である。
また、以上説明した光ディスクにおいて、グルーブ不連続部は、グルーブを形成するレーザ光を中断して形成するようにしたが、図８、図９に示すようにレーザ光を瞬間的にずらせてグルーブズレ部６２または６３を形成してもよい。この場合は、ずらす時間幅を調整すればよい。
さらに、本実施の形態では、識別マークはセクタの先頭部分に配置したが、識別マークはセクタの先頭部分で検出する必要はなく、例えばセクタの末尾部分に配置してもかまわない。
【００６６】
以上説明したように、第１の実施の形態にかかる光ディスクは、異なった長さのグルーブ不連続部を各セクタの先頭ヘッダ１０２に形成し、グルーブ不連続部自身に同期マーク「Ｓ」、正マーク「１」、負マーク「０」のいずれかの意味を持たせたので、より少ないスペースでセクタブロックのアドレスを与えることが可能となる。
また、本実施の形態の光ディスクは、発光素子２ｃからのレーザ光が４００ｎｍ付近の波長を用いた高密度光ディスクに適している。その理由は次の通りである。
【００６７】
本発明にかかる光ディスクは、記録再生型の光ディスクであり、グルーブ内のディスク表面は結晶状態（非記録状態）にある相変化材料、たとえばゲルマニウム・アンチモン化合物あるいは銀インジウム化合物で構成されている。記録は、所定レベルのレーザ光が照射されると結晶状態（非記録状態）からアモルファス状態（記録状態）に相変化するマークを形成することにより行われる。再生は、より低いレベルのレーザ光を照射し、反射率の異なる結晶状態の部分とアモルファス状態の部分からの反射光の強弱により記録された情報を読み取る。レーザ光が８３０ｎｍあるいは６５０ｎｍ帯であれば、アモルファス状態（記録状態）の部分からの反射光は、結晶状態（非記録状態）の部分から反射光より弱い。また、ミラー部の反射光は、結晶状態の部分からの反射光より強いので、ミラー部、結晶状態の部分、アモルファス状態の部分からの反射光はそれぞれ、強、中、弱となり、３者の部分の識別は容易である。
【００６８】
しかし、レーザ光が４００ｎｍ付近の波長を用いれば、反射率が逆転し、アモルファス状態（記録状態）の部分からの反射光は、結晶状態（非記録状態）の部分からの反射光より強くなる。したがって、ミラー部、結晶状態の部分、アモルファス状態の部分からの反射光はそれぞれ、やや強、中、強となり、ミラー部とアモルファス状態（記録状態）の部分の識別が困難となる。ところが、本実施の形態においては、ミラー部であるグルーブ不連続部の幅を記録マークの幅とは識別可能な幅に設定されているので、記録マークとの識別も容易になる。
【００６９】
（実施の形態２）
第２の実施の形態においては、図３において示した幅の異なるグルーブ不連続部の変わりに、図１０に示すように、グルーブ変形部、すなわちグルーブ下ズレ部６５、グルーブ上ズレ部６６、およびこの組合せ部６７を利用して分散アドレスを付与する。図１０に示す例では、グルーブ上ズレ部６６単独で正マーク「１」を表し、グルーブ下ズレ部６５とそれから所定時間内に現れるグルーブ上ズレ部６６の組合せ部６７で同期マーク「Ｓ」を表し、グルーブ下ズレ部６５とそれから所定時間内にグルーブ上ズレ部が現れなければ負マーク「０」を表す。グルーブ下ズレ部、グルーブ上ズレ部を総称して、グルーブズレ部という。部６５、部６６、組合せ部６７のいずれを同期マークにしてもよいし、正マークにしてもよいし、負マークにしてもよいが、検出頻度の少ない同期マークを組合せ部６７にするのが好ましい。後に説明する変形例についても同様のことが言える。
【００７０】
グルーブ下ズレ部６５はウォブルするグルーブの山のピーク部分からトラックの中心に向かって瞬時的なズレを設けることにより形成する。グルーブ上ズレ部６６はウォブルするグルーブの谷のピーク部分からトラックの中心に向かって瞬時的なズレを設けることにより形成する。組合せ部６７はウォブルの隣接した山と谷にそれぞれグルーブ下ズレ部６５とグルーブ上ズレ部６６を形成する。
なお、図１０の組合せ部６７においては、グルーブ下ズレ部６５とグルーブ上ズレ部６６は、ウォブル周期の１／２で隣接しているが、ウォブル周期のｎ＋（１／２）倍（ｎは正の整数）で隣接してもよい。
また、グルーブ下ズレ部は、図８に示すような形態の他、図９に示すような形態で有ってもよい。グルーブ上ズレ部についても同様な形態を取ることが出来る。
【００７１】
図１１は、図１０に示す分散アドレスの読取装置を示し、図１２、図１３、図１４は読取装置の主要点における出力信号の波形図を示す。図１１において、図４に示す読取装置と同様な部分は、同様な符号が付されており、その詳細は省略する。２は光ヘッド、４は差信号Ｓａ（図１２）を出力する減算器、６はグルーブズレ部信号Ｓｂ（図１３）を出力するハイパスフィルタ、５２はグルーブ上ズレ部信号Ｓｂを、所定の第１閾値＋Ｖｔｈ（図１３）と比較し、２値化されたグルーブ上ズレ部信号Ｓｉ（図１４）を出力する比較器、５４はグルーブ下ズレ部信号Ｓｂを、所定の第２閾値−Ｖｔｈ（図１３）と比較し、２値化されたグルーブ下ズレ部信号Ｓｊ（図１４）を出力する比較器、５６は２値化されたグルーブズレ部信号Ｓｉ、Ｓｊを第１グルーブズレ部（正マーク「１」）、第２グルーブズレ部（負マーク「０」）、第３グルーブズレ部（同期マーク「Ｓ」）のいずれに該当するかを判別する判別器、１４は分散アドレスを連続アドレスにそろえる復調器である。
【００７２】
図１２の信号Ｓａ（Ｓ）は、グルーブ下ズレ部６５とグルーブ上ズレ部６６の組合せ部６７の差信号を示し、信号Ｓａ（０）は、グルーブ下ズレ部６５のみの差信号を示し、信号Ｓａ（１）は、グルーブ上ズレ部６６のみの差信号を示す。ウォブルするグルーブの山の部分に下方向のズレ部がある場合は負方向のパルスが生成され、ウォブルするグルーブの谷の部分に上方向のズレ部がある場合は正方向のパルスが生成される。
図１３の信号Ｓｂ（Ｓ）、Ｓｂ（０）、Ｓｂ（１）は、それぞれ信号Ｓａ（Ｓ）、Ｓａ（０）、Ｓａ（１）の低域周波数成分がカットされた波形である。
図１４の信号Ｓｉ（Ｓ）、Ｓｊ（Ｓ）は、それぞれ信号Ｓｂ（Ｓ）の正方向パルス、負方向パルスを２値化した信号である。信号Ｓｂ（Ｓ）には正方向パルス、負方向パルスの両方が含まれているので、信号Ｓｉ（Ｓ）、Ｓｊ（Ｓ）のいずれにもパルスが存在する。信号Ｓｂ（０）には負方向パルスしか含まれていないで、信号Ｓｉ（０）にはパルスが存在せず、信号Ｓｊ（０）にパルスが存在する。信号Ｓｂ（１）には正方向パルスしか含まれていないで、信号Ｓｉ（１）にはパルスが存在し、信号Ｓｊ（１）にはパルスが存在しない。
判別器５６は、次のように動作する。
【００７３】
信号Ｓｉまたは信号Ｓｊのいずれか一方のパルスを受けてから所定時間内（ウォブル周期の１／２内）に他方のパルスを受けた場合は同期マーク「Ｓ」であることを検出し、同期マーク「Ｓ」を表す「Ｓ」信号を出力する。この「Ｓ」信号は、次のマークが検出されるまで維持される。
信号Ｓｉのパルスを受けてから所定時間内（ウォブル周期の１／２内）に信号Ｓｊのパルスが無い場合は、正マーク「１」であることを検出し、正マーク「１」を表す「１」信号を出力する。この「１」信号は、次のマークが検出されるまで維持される。
信号Ｓｊのパルスを受けてから所定時間内（ウォブル周期の１／２内）に信号Ｓｉのパルスが無い場合は、負マーク「０」であることを検出し、負マーク「０」を表す「０」信号を出力する。この「０」信号は、次のマークが検出されるまで維持される。
【００７４】
上述の「Ｓ」信号、「１」信号、「０」信号は、いずれも図５の下２行に示すような信号であり、図１１の判別器５６の３本の出力線からそれぞれ出力される。
復調器１４は、図７で示した復調器と同様に動作する。
グルーブ下ズレ部６５及びグルーブ上ズレ部６６は、単にかかるズレ部の有る無しを表すのみならず、上下のズレ方向の情報も含んでいる。従って、信号Ｓｉ、信号Ｓｊを区別して生成することが可能となる。
また、ウォブル周期の１／２で、グルーブ下ズレ部６５、グルーブ上ズレ部６６を利用して３種類の意味（「Ｓ」、「０」、「１」）を識別可能としている。
また、同期マーク、正マーク、負マークは、ウォブルの最大振幅の幅以内に収まっているので、隣接トラック間のクロストークが増大することは無い。
また、光ディスクの内周側と外周側とにおいてセクタの長さを変えることなくセクタが配列され、またセクタブロックの区切れ目を光ディスクの半径方向にそろえる必要が無いので、完全ＣＬＶを達成することが出来る。
また、グルーブと同期マーク、正マーク、負マークは、１つのビームによりカッティングが可能である。
【００７５】
さらに、トラック中心から離れて同期マーク、正マーク、負マークが形成されているので、トラック中心に沿って情報データが記録されても、同期マーク、正マーク、負マークの検出信号に、情報データの信号が混在する程度が少ない。
また、グルーブズレ部をプッシュ−プル信号で検出した場合、差信号は大きな差信号となるので、確実にグルーブズレ部の検出を行うことが可能である。
【００７６】
（変形例１）
図１５から図２０までは第２の実施の形態のグルーブ変形部の第１の変形例を示す。
図１０においては、グルーブ下ズレ部６５、グルーブ上ズレ部６６を用いたが、図１７の第１の変形例においては、それぞれをグルーブ下り位相反転部７４、グルーブ上り位相反転部７５に変える。グルーブ下り位相反転部７４は、正弦波でウォブルしているグルーブの山から谷までの下り部分、すなわちグルーブの山からウォブル周期の大略１／４の部分、の位相を上下に反転させたものであり、グルーブ上り位相反転部７５は、グルーブの谷から山までの上り部分、すなわちグルーブの谷からウォブル周期の大略１／４の部分、の位相を上下に反転させたものである。グルーブ下り位相反転部、グルーブ上り位相反転部を総称してグルーブ位相反転部という。
【００７７】
図１７に示すように、同期マーク「Ｓ」は、グルーブ下り位相反転部７４とグルーブ上り位相反転部７５の両方を連続して含んだもの７６で表し、負マーク「０」は、グルーブ下り位相反転部７４のみが含まれているもので表し、正マーク「１」は、グルーブ上り位相反転部７５のみが含まれているもので表す。マークを表すためのウォブル周期１／４の部分の両端は、図１５に示すようにグルーブが不連続になっていてもよいし、図１６に示すように急峻に変位するグルーブであってもよい。
これらのマークは図１１の読取装置で読み取られる。
【００７８】
図１８は、図１７に示す３つのマークに対応するグルーブ位相反転部の差信号を示す。これらの差信号は、図１１の減算器４から得られるものである。差信号Ｓａ（Ｓ）より明らかなように、位相が反転してグルーブが上から下に急激に変化している部分では、右下がりに急激に変化する差信号が得られる一方、位相が反転してグルーブが下から上に急激に変化している部分では、右上がりに急激に変化する差信号が得られる。
図１９は、差信号をハイパスフィルタ６に通過させた信号を示す。右下がりに急激に変化する差信号は、負方向のパルスとなって現れ、右上がりに急激に変化する差信号は、正方向のパルスとなって現れる。
【００７９】
図２０では、正方向のパルスを比較器５２から２値化信号として取り出したものを信号Ｓｉで示し、負方向のパルスを比較器５４から２値化信号として取り出したものを信号Ｓｊで示している。
この場合、判別器５６は、次のように動作する。
信号Ｓｉまたは信号Ｓｊのいずれか一方のパルスを受けてから第１所定時間内（ウォブル周期内）に他方のパルスを受けた場合は同期マーク「Ｓ」であることを検出し、同期マーク「Ｓ」を表す「Ｓ」信号を出力する。この「Ｓ」信号は、次のマークが検出されるまで維持される。
信号Ｓｉのパルスを受けてから第２所定時間内（ウォブル周期の１／２内）に２つ目の信号Ｓｉのパルスが続いた場合は、正マーク「１」であることを検出し、正マーク「１」を表す「１」信号を出力する。この場合、さらに、信号Ｓｉの最初のパルスを受けてから２つ目のパルスを受けるまでの間、信号Ｓｊのパルスが存在しないことを条件とすることも可能である。この「１」信号は、次のマークが検出されるまで維持される。
【００８０】
信号Ｓｊのパルスを受けてから第２所定時間内（ウォブル周期の１／２内）に２つ目の信号Ｓｊのパルスが続いた場合は、負マーク「０」であることを検出し、負マーク「０」を表す「０」信号を出力する。この場合、さらに、信号Ｓｊの最初のパルスを受けてから２つ目のパルスを受けるまでの間、信号Ｓｉのパルスが存在しないことを条件とすることも可能である。この「０」信号は、次のマークが検出されるまで維持される。
後は上述と同様にして復調器１４で処理される。
【００８１】
グルーブ下り位相反転部７４およびグルーブ上り位相反転部７５は、単にかかる位相反転部の有る無しを表すのみならず、上り、下りの情報も含んでいる。従って、信号Ｓｉ、信号Ｓｊを区別して生成することが可能となる。
また、１つのウォブル周期で、グルーブ下り位相反転部７４、グルーブ上り位相反転部７５を利用して３種類の意味（「Ｓ」、「０」、「１」）を識別可能としている。
また、同期マーク、正マーク、負マークは、ウォブルの最大振幅の幅以内に収まっているので、隣接トラック間のクロストークが増大することは無い。
また、光ディスクの内周側と外周側とにおいてセクタの長さを変えることなくセクタが配列され、またセクタブロックの区切れ目を光ディスクの半径方向にそろえる必要が無いので、完全ＣＬＶを達成することが出来る。
【００８２】
また、グルーブと同期マーク、正マーク、負マークは、１つのビームによりカッティングが可能である。
また、ウォブルの最大振幅の位置で位相を反転させているので、同期マーク、正マーク、負マークの位置を精度高く検出することが出来る。
なお、ウォブルの位相を検出して、グルーブ下り位相反転部７４、グルーブ上り位相反転部７５を検出するようにしてもよい。この場合、位相反転のエッジを検出するよりもＳＮ比が改善される。
【００８３】
（変形例２）
図２１から図２５までは第２の実施の形態のグルーブ変形部の第２の変形例を示す。
図１０においては、グルーブ下ズレ部６５、グルーブ上ズレ部６６を用いたが、図２２の第２の変形例においては、それぞれをグルーブ下り矩形部８３、グルーブ上り矩形部８４に変える。グルーブ下り矩形部８３は、正弦波でウォブルしているグルーブの山から谷までの部分を矩形でつなぐ。すなわちグルーブの山からウォブル周期の大略１／４の部分までを山のレベルでグルーブを形成し、急激に谷のレベルまで変化させ、次のウォブル周期の大略１／４の部分を谷のレベルでグルーブを形成し、ウォブルの谷の部分につなぐ。また、グルーブ上り矩形部８４は、正弦波でウォブルしているグルーブの谷から山までの部分を矩形でつなぐ。すなわちグルーブの谷からウォブル周期の大略１／４の部分までを谷のレベルでグルーブを形成し、急激に山のレベルまで変化させ、次のウォブル周期の大略１／４の部分を山のレベルでグルーブを形成し、ウォブルの山の部分につなぐ。グルーブ下り矩形部、グルーブ上り矩形部を総称してグルーブ矩形部という。また、グループ矩形部、グルーブ位相反転部、グルーブズレ部などが含まれる含まれるウォブル波を変形ウォブル波という。
【００８４】
図２２に示すように、同期マーク「Ｓ」は、グルーブ下り矩形部８３とグルーブ上り矩形部８４の両方を連続して含んだもの８５で表し、負マーク「０」は、グルーブ下り矩形部８３のみが含まれているもので表し、正マーク「１」は、グルーブ上り矩形部８５のみが含まれているもので表す。図２１にグルーブ下り矩形部８３の詳細が示されている。
これらのマークは図１１の読取装置で読み取られる。
図２３は、図２２に示す３つのマークに対応するグルーブ矩形部の差信号を示す。これらの差信号は、図１１の減算器４から得られるものである。差信号Ｓａ（Ｓ）より明らかなように、グルーブ矩形部が上から下に急激に変化している部分では、右下がりに急激に変化する差信号が得られる一方、グルーブ矩形部が下から上に急激に変化している部分では、右上がりに急激に変化する差信号が得られる。
【００８５】
図２４は、差信号をハイパスフィルタ６に通過させた信号を示す。右下がりに急激に変化する差信号は、負方向のパルスとなって現れ、右上がりに急激に変化する差信号は、正方向のパルスとなって現れる。
図２５では、正方向のパルスを比較器５２から２値化信号として取り出したものを信号Ｓｉで示し、負方向のパルスを比較器５４から２値化信号として取り出したものを信号Ｓｊで示している。
この場合、判別器５６は、次のように動作する。
信号Ｓｉまたは信号Ｓｊのいずれか一方のパルスを受けてから所定時間内（ウォブル周期内）に他方のパルスを受けた場合は同期マーク「Ｓ」であることを検出し、同期マーク「Ｓ」を表す「Ｓ」信号を出力する。この「Ｓ」信号は、次のマークが検出されるまで維持される。
【００８６】
信号Ｓｉのパルスを受けてから所定時間内（ウォブル周期内）に信号Ｓｊのパルスが無い場合は、正マーク「１」であることを検出し、正マーク「１」を表す「１」信号を出力する。この「１」信号は、次のマークが検出されるまで維持される。
信号Ｓｊのパルスを受けてから所定時間内（ウォブル周期内）に信号Ｓｉのパルスが無い場合は、負マーク「０」であることを検出し、負マーク「０」を表す「０」信号を出力する。この「０」信号は、次のマークが検出されるまで維持される。
後は上述と同様にして復調器１４で処理される。
グルーブ下り矩形部８３およびグルーブ上り矩形部８４は、単にかかる矩形部の有る無しを表すのみならず、上り、下りの情報も含んでいる。従って、信号Ｓｉ、信号Ｓｊを区別して生成することが可能となる。
また、１つのウォブル周期で、グルーブ下り矩形部８３、グルーブ上り矩形部８４を利用して３種類の意味（「Ｓ」、「０」、「１」）を識別可能としている。
【００８７】
また、同期マーク、正マーク、負マークは、ウォブルの最大振幅の幅以内に収まっているので、隣接トラック間のクロストークが増大することは無い。
また、光ディスクの内周側と外周側とにおいてセクタの長さを変えることなくセクタが配列され、またセクタブロックの区切れ目を光ディスクの半径方向にそろえる必要が無いので、完全ＣＬＶを達成することが出来る。
また、グルーブと同期マーク、正マーク、負マークは、１つのビームによりカッティングが可能である。
また、ウォブルの最大振幅に亘って矩形部を設けているので、同期マーク、正マーク、負マークの位置を精度高く検出することが出来る。
さらに、正弦波であるウォブルのゼロクロス点と、矩形部のゼロクロス点は同じ位置にあるので、ウォブルからクロック信号を抽出する際、マークの所においてもクロック信号が乱れない。
【００８８】
なお、第２の実施の形態においては、グルーブ変形部の位置が、「Ｓ」、「０」、「１」のマークによって異なっているので、記録を開始することが出来る位置が異なる。記録を開始することが出来る位置を統一するため、追加のマークを加えてもよい。たとえば、図１０の形態の場合、図２６に示すようにグルーブ不連続部６８を追加してもよい。すなわちグルーブ不連続部６８の検出後に記録を開始するようにすれば、記録の開始位置を統一することが可能となる。
【００８９】
（変形例３）
図２７から図３１までは第２の実施の形態のグルーブ変形部の第３の変形例を示す。
図２２においては、ひとつの変形ウォブル波でひとつのマークを表すようにした。具体的には、ひとつのグルーブ下り矩形部８３で負マーク「０」を表し、ひとつのグルーブ上り矩形部８４で正マーク「１」を表し、ひとつの矩形部ペア８５（ひとつのグルーブ下り矩形部８３と、ひとつのグルーブ上り矩形部８４が含まれる）で同期マーク「Ｓ」を表すようにした。
図２７に示す第３の変形例においては、変形ウォブル波が繰返し連続して表れるものを用いる。すなわち、図２のセクタブロック１０５に含まれるひとつのセクタ１０４のヘッダ部１０２に、所定の複数サイクル（例えば３２サイクル）のウォブル波を存在させる。同期マークの場合は、図２７の上段に示す様に、ヘッダ部１０２に矩形部ペア８５が繰返し複数サイクル（例えば３２サイクル）存在する。負マーク「０」の場合は、図２７の中断に示す様に、ヘッダ部１０２にグルーブ下り矩形部８３が繰返し複数サイクル（例えば３２サイクル）存在する。正マーク「１」の場合は、図２７の下断に示す様に、ヘッダ部１０２にグルーブ上り矩形部８４が繰返し複数サイクル（例えば３２サイクル）存在する。
【００９０】
さらに別の変形例としては、ヘッダ部１０２に限らず、記録部１０３を含めた全セクタ１０４に亘って変形ウォブル波の繰返しを用いる。一例では、ひとつのセクタに１５３サイクルのウォブル波が存在するので、１５３サイクルの全てのウォブル波について、変形ウォブル波を用いる。
具体的には、セクタブロック１０５の先頭セクタ全域に亘って、矩形部ペア８５を含む変形ウォブル波を繰返し１５３サイクル連続させ、同期情報「Ｓ」を矩形部ペア８５にもたせる。先頭セクタに続く残りのセクタのそれぞれであって、負情報「０」をもたせる場合は、そのセクタの全域に亘って、グルーブ下り矩形部８３を含む変形ウォブル波を繰返し１５３サイクル連続させる。同残りのセクタであって、正情報「１」をもたせる場合は、そのセクタ全域に亘って、グルーブ上り矩形部８４を含む変形ウォブル波を繰返し１５３サイクル連続させる。
【００９１】
なお、変形ウォブル波の繰返しは、セクタ全域でなく、セクタのいずれかの部分に複数のサイクルの変形ウォブル波を設けるようにしても良い。また、変形ウォブル波が存在する複数のサイクルは、ひとつおきのサイクルでも良いし、複数サイクルあけてもよい。このようにサイクル間隔を空ければ、サイクル間隔を測定して別の情報を載せることが可能となる。
このように、変形ウォブル波を用いる場合、ウォブル波に沿ってデータの書き込みをすることができるので、同期情報「Ｓ」、負情報「０」、正情報「１」を書き込むためのトラックスペースを取る必要は無く、トラックを構成する変形ウォブル波の形状を観測するだけで、情報を取り出すことが可能となる。したがって、同期情報「Ｓ」、負情報「０」、正情報「１」は、ヘッダ部１０２などの特定領域に入れる必要はなく、セクタの任意の個所に入れることが可能となる。
セクタブロックの先頭の検出を確実にするため、図２７の上段の先頭に示す様に、先頭のウォブル波内に不連続部８６を設ける。この不連続部８６は、図２７に有るようにウォブル波の上または下のピーク部分（振幅最大部分）に設けても良いし、グループ下り矩形部８３やグルーブ上る矩形部８４が存在するゼロクロス点（振幅最小部分）に設けても良い。ゼロクロス点あたりに設けた方が、ウォブル波の周波数を検出する際、不連続部８６が不要なノイズを起こさないので、好ましい。不連続部を形成する個所の説明は、第１の実施の形態の不連続部についてもあてはまる。
【００９２】
なお、図２７において、不連続部８６は、トラックグルーブを寸断して設けられているため、これに情報を上書きするのは問題がある。グルーブの有り無しで反射光量が大きく異なり、再生信号に対する外乱として作用するからである。そこで、本変形例では不連続部８６を含む領域（たとえばブロック８５）をＶＦＯ記録領域として割り当てている。ＶＦＯ記録領域とは、これに続く記録情報を再生するためにＰＬＬを引き込ませるための単一周波数信号ＶＦＯが記録される領域のことである。ＶＦＯであれば、多少の外乱変動があっても局所的なジッタとなるだけであり、直接エラーを引き起こすことはない。さらに、ＶＦＯは単一周波数であるから、不連続部８６による外乱を周波数分離することも可能である。
【００９３】
図３１は、図２７に示す変形ウォブル波を読み取る読取装置のブロック図である。
図３１の読取装置は、矩形部検出器９０と、不連続部検出器９１と、分布判別器９２で構成される。矩形部検出器９０は、図１１の読取装置の主要部を採用したものである。矩形部検出器９０の主要点における信号波形を図２８、図２９、図３０に示す。
図２８は、図２７に示す３つの変形ウォブル波のそれぞれに対応する差信号を示す。これらの差信号は、図３１の減算器４から得られるものである。その動作は、図１１で説明した通りである。
図２９は、差信号をハイパスフィルタ６に通過させた信号を示す。右下がりに急激に変化する差信号は、負方向のパルスとなって現れ、右上がりに急激に変化する差信号は、正方向のパルスとなって現れる。
【００９４】
図３０では、正方向のパルスを比較器５２から２値化信号として取り出したものを信号Ｓｉで示し、負方向のパルスを比較器５４から２値化信号として取り出したものを信号Ｓｊで示している。矩形部ペア８５が連続する変形ウォブル波の場合は、信号Ｓｉと信号Ｓｊの両方に交互にパルスが表れる。これらのパルスは、変形ウォブル波の１サイクルにひとつの割合で表れる。
ひとつのセクタに変形ウォブル波が１５３サイクルある場合の動作は次の通りである。先頭セクタ（同期情報「Ｓ」含まれるセクタ）の場合、信号Ｓｉには１５３のパルス、信号Ｓｊにも１５３のパルスが表れる。また、後続セクタで負情報「０」が含まれるセクタの場合、信号Ｓｉにはゼロのパルス、信号Ｓｊには１５３のパルスが表れる。さらに、後続セクタで正情報「１」が含まれるセクタの場合、信号Ｓｉには１５３のパルス、信号Ｓｊにはゼロのパルスが表れる。実際には、雑音などにより、パルス数は多くなったり、少なくなったりする。
【００９５】
図３１の不連続部検出器９１は、図４の読取装置の主要部を採用したものである。図５で説明したように、不連続部８６が検出され、パルスが出力される。なお、不連続部検出器９１に設けた減算器４は、加算器に変えても良い。減算器を用いた場合は、ウォブル波のピーク部あたりに不連続部８６が有る場合のみ検出可能であるが、加算器を用いた場合は、ウォブル波のピーク部あたりだけでなく、ゼロクロス部あたりにも不連続部８６が有っても検出可能である。
図３１の分布判別器９２について説明する。
分布判別器９２は、パルス数積算器９３，９４、比較器９５，９６，９７、セクタ同期カウンタ９８、ラッチ９９で構成される。
パルス積算器９３，９４は、それぞれ信号Ｓｉ，信号Ｓｊに含まれるパルス数をカウントする。パルス積算器９３のカウント値は、比較器９５，９６，９７の入力ａに加えられ、パルス積算器９４のカウント値は、比較器９５，９６，９７の入力ｂに加えられる。比較器９５は、ａ＞ｂ（ａは入力ａに加えられるカウント値、ｂは入力ｂに加えられるカウント値を表す）の場合で、好ましくはその差が十分大きい場合（すなわちａ≫ｂの場合）に、ハイの信号が出力される。比較器９６は、ａ＜ｂの場合で、好ましくはその差が十分大きい場合（すなわちａ≪ｂの場合）に、ハイの信号が出力される。比較器９７は、ａ≒ｂの場合で、好ましくはその差が十分小さい場合に、ハイの信号が出力される。
【００９６】
これらのハイの信号は、ラッチ９９に送られる。比較器９５からハイの信号を受けた場合は、ラッチ９９は、正情報「１」を表す「１」信号を出力する。この「１」信号は、次のセクタの情報が検出されるまで維持される。比較器９６からハイの信号を受けた場合は、ラッチ９９は、負情報「０」を表す「０」信号を出力する。この「０」信号は、次のセクタの情報が検出されるまで維持される。比較器９７からハイの信号を受けた場合は、ラッチ９９は、同期情報「Ｓ」を表す「Ｓ」信号を出力する。この「Ｓ」信号は、次のセクタの情報が検出されるまで維持される。
セクタ同期カウンタ９８は、同期信号のサイクル数（ウォブル波のサイクル数と同じであるが、ウォブル波の場合は、雑音が含まれ、数が安定していない。）をカウントする。同期信号は、例えば、検出したウォブル信号からＰＬＬ回路により作られる。まず、不連続部検出器９１からの不連続部検出パルスによりカウント値がゼロにリセットされる。続いて同期信号のサイクル数、すなわち同期パルスをカウントする。上述の例ではひとつのセクタに１５３のウォブル波サイクルが含まれていたので、１５３の同期パルスをカウントする毎に、ひとつのリセット信号をパルス数積算器９３，９４とラッチ９９に送る。パルス数積算器９３，９４ではカウント値がリセットされる。
【００９７】
分布判別器９２により、ひとつのセクタ内において信号Ｓｉに含まれるパルスの数と信号Ｓｊに含まれるパルスの数が比較され、信号Ｓｉのパルス数の方が、信号Ｓｊのパルス数より十分に多い場合は、比較器９５からハイの信号が出力され、逆に、信号Ｓｊのパルス数の方が、信号Ｓｉのパルス数より十分に多い場合は、比較器９６からハイの信号が出力される。さらに、信号Ｓｉのパルス数と、信号Ｓｊのパルス数とがおよそ等しい場合は、比較器９７からハイの信号が出力される。ラッチ９９では、比較器９５，９６，９７のいずれかのハイの信号をラッチし、「１」信号または「０」信号または「Ｓ」信号を出力する。また、「Ｓ」信号により、セクタ同期カウンタ９８はプリセットされる。
【００９８】
後は上述と同様にして復調器１４で処理される。
変形ウォブル波を繰返し設けることにより、「１」信号または「０」信号または「Ｓ」信号をより正確に得ることができる。また、変形ウォブル波の内でもグルーブ矩形部が含まれる変形ウォブル波を用いれば、ウォブル波により本来検出すべき同期信号に悪影響を及ぼすことが少ない。
【００９９】
（変形例４）
図３２に変形例４の要部構成図を示す。図３２では、ウォブルの振幅が正方向に有る部分の長さと、負方向にある部分の長さを異なる様にして、ウォブルの周波数は変えずにデューティー比が異なるように形成されている。すなわち、図３２の１８０の部分では負方向の振幅の部分が長くなっており、１８１の部分では正方向の振幅の部分が長くなっている。図３２に示されるように負情報「０」のときは１８０の部分が広く、正情報「１」のときは反対側の１８１の部分が広くなるようにウォブルを形成する。このようにすれば、負情報、正情報を判別する際、再生信号を微分する必要がなく、クロックタイマーなどを用いてデューティーを計測すればよいので、ノイズの影響を軽減できる。
【０１００】
（変形例５）
図３３に変形例５の要部構成図を示す。図２７の変形例では、先頭のウォブル波内に不連続部８６を設けたが、図３３の変形例では、トラックグルーブを局所的に太くしたマーク２１２を設ける。このマーク２１２は、セクタブロックの先頭を見つけるためのもので、ブロックマークとも言う。図３３の構成ならばグルーブが寸断され、不連続になることがないので、ブロックマーク上にＶＦＯのみならず種々の情報を記録することができる。結果的にオーバーヘッドを低減することができる。
【０１０１】
（変形例６）
図３４に変形例６の要部構成図を示す。図３４の変形例ではグルーブウォブルの振幅を局所的に大きくしたブロックマーク２１３を設ける。図３３の変形例５と同様、この構成でもグルーブが寸断されることがなく、ブロックマーク上にＶＦＯのみならず種々の情報を記録することができる。
【０１０２】
（変形例７）
図３５に変形例７の要部構成図を示す。トラックグルーブの片側のエッジにのみウォブルが設けられたことを特徴とする。これまでの実施の形態や変形例においては、トラックグルーブ上に情報を記録する、いわゆるグルーブ記録形態の光ディスク媒体について述べてきたが、光ディスクはこれ以外に、トラックに沿って、グルーブ上とランド（隣接グルーブで挟まれた領域）上の両方に記録する、いわゆるランドグルーブ記録形態を有するものがある。変形例７はランドグルーブ記録形態への適用例である。
【０１０３】
図３５において、グルーブの片側のエッジに負情報「０」（２２１で示される区間）若しくは正情報「１」（２３１で示される区間）が形成されている。これにより当該グルーブ２とこれに隣接するランド４が同一のアドレスで表記される。情報はランド４、トラックグルーブ２の両方に記録される。このような記録をすることでトラックピッチを狭くすることができ、さらなる高密度化が可能となる。
以上のように本発明は、トラックグルーブに所定形状の蛇行を単位区間内に周期的に設け、しかも前記形状は上記単位区間において一義的に記述される副情報に応じて異なる形状としたことにより、オーバーヘッドを少なく若しくは無しにアドレスを形成することができ、しかも単一周波数のウォブル再生信号を得ることができ、高密度化に適した光ディスク媒体を提供することができる。
【産業上の利用可能性】
【０１０４】
本発明は、光ディスク並びに光ディスクのアドレス読取装置及び方法に利用することができる。
【図１】
2010061804.tif 000003
【図２】
2010061804.tif 000004
【図３】
2010061804.tif 000005
【図４】
2010061804.tif 000006
【図５】
2010061804.tif 000007
【図６】
2010061804.tif 000008
【図７】
2010061804.tif 000009
【図８】
2010061804.tif 000010
【図９】
2010061804.tif 000011
【図１０】
2010061804.tif 000012
【図１１】
2010061804.tif 000013
【図１２】
2010061804.tif 000014
【図１３】
2010061804.tif 000015
【図１４】
2010061804.tif 000016
【図１５】
2010061804.tif 000017
【図１６】
2010061804.tif 000018
【図１７】
2010061804.tif 000019
【図１８】
2010061804.tif 000020
【図１９】
2010061804.tif 000021
【図２０】
2010061804.tif 000022
【図２１】
2010061804.tif 000023
【図２２】
2010061804.tif 000024
【図２３】
2010061804.tif 000025
【図２４】
2010061804.tif 000026
【図２５】
2010061804.tif 000027
【図２６】
2010061804.tif 000028
【図２７】
2010061804.tif 000029
【図２８】
2010061804.tif 000030
【図２９】
2010061804.tif 000031
【図３０】
2010061804.tif 000032
【図３１】
2010061804.tif 000033
【図３２】
2010061804.tif 000034
【図３３】
2010061804.tif 000035
【図３４】
2010061804.tif 000036
【図３５】
2010061804.tif 000037
【手続補正書】
【提出日】平成22年1月25日(2010.1.25)
【手続補正１】
【補正対象書類名】特許請求の範囲
【補正対象項目名】全文
【補正方法】変更
【補正の内容】
【特許請求の範囲】
【請求項１】
らせん状又は同心円状に伸びるトラックを有し、アドレス情報が付与された光ディスクであって、
前記光ディスクは、
トラックに沿って半径方向に変位する正弦波状にウォブルさせて形成したグルーブと、
トラックに沿って設け、複数のセクタに分割されたセクタブロックとを有する光ディスクであって、
各セクタブロックの所定のセクタに対応するトラックに沿ってウォブルさせて形成した正マークと、
各セクタブロックの別の所定のセクタに対応するトラックに沿ってウォブルさせて形成した負マークとを有し、
前記正マークは、
前記正弦波状にウォブルさせたグルーブに対して、ゼロクロス点の位置は同じで、
グルーブの山のレベルから谷のレベルの間のゼロクロス点を通過するウォブルの傾きが、前記正弦波状にウォブルさせたグルーブの山のレベルから谷のレベルの間のゼロクロス点を通過するウォブルの傾きより急峻となるように、
少なくとも前記正弦波状にウォブルさせたグルーブの山のレベルから谷のレベルの間のゼロクロス点を通過する部分を変形させた第１のグルーブ変形部分、
又は、
前記正弦波状にウォブルさせたグルーブに対して、ゼロクロス点の位置は同じで、
グルーブの谷のレベルから山のレベルの間のゼロクロス点を通過するウォブルの傾きが、前記正弦波状にウォブルさせたグルーブの谷のレベルから山のレベルの間のゼロクロス点を通過するウォブルの傾きより急峻となるように、
少なくとも前記正弦波状にウォブルさせたグルーブの谷のレベルから山のレベルの間のゼロクロス点を通過する部分を変形させた第２のグルーブ変形部分、
の少なくともいずれか一方を含み、
前記負マークは、前記第１のグルーブ変形部分又は前記第２のグルーブ変形部分の少なくともいずれかもう一方を含み、
前記アドレス情報は、前記正マークあるいは前記負マーク又はそれらの組合せで表され、
該正マークは、前記第１のグルーブ変形部分又は前記第２のグルーブ変形部分のいずれか一方を複数サイクル繰り返したもので形成され、
該負マークは、前記第１のグルーブ変形部分又は前記第２のグルーブ変形部分のいずれかもう一方を複数サイクル繰り返したもので形成され、
前記複数サイクル繰り返された前記第１のグルーブ変形部分又は前記第２のグルーブ変形部分のいずれか一方は、前記正マークに対応するセクタの何れかの部分に設けられ、
前記複数サイクル繰り返された前記第１のグルーブ変形部分又は前記第２のグルーブ変形部分のいずれかもう一方は、前記負マークに対応するセクタの何れかの部分に設けられる、光ディスク。
【請求項２】
請求項１に記載の光ディスクのアドレス情報を生成する方法であって、
前記光ディスクのトラックにレーザ光を照射し、その反射光を受光するステップと、
前記正マークに対応した反射光から、「１」又は「０」のいずれか一方を生成するステップと、
前記負マークに対応した反射光から、「１」又は「０」のいずれかもう一方を生成するステップと、
前記生成された「１」あるいは「０」又はそれらの組み合わせから、前記アドレス情報を生成するステップと、を含む、アドレス情報生成方法。
【請求項３】
請求項１に記載の光ディスクのアドレス情報を読み取る読取装置であって、
前記光ディスクのトラックにレーザ光を照射し、その反射光を受光する受光手段と、
前記正マークに対応した反射光から、「１」又は「０」のいずれか一方を生成する正マーク情報生成手段と、
前記負マークに対応した反射光から、「１」又は「０」のいずれかもう一方を生成する負マーク情報生成手段と、
前記生成された「１」あるいは「０」又はそれらの組み合わせから、前記アドレス情報を生成するアドレス情報生成手段と、を備えた光ディスクの読取装置。
【請求項４】
請求項１に記載の光ディスクのアドレス情報に基づいてデータの書き込みを行う書込装置であって、
前記光ディスクのトラックにレーザ光を照射し、その反射光を受光する受光手段と、
前記正マークに対応した反射光から、「１」又は「０」のいずれか一方を生成する正マーク情報生成手段と、
前記負マークに対応した反射光から、「１」又は「０」のいずれかもう一方を生成する負マーク情報生成手段と、
前記生成された「１」あるいは「０」又はそれらの組み合わせから、前記アドレス情報を生成するアドレス情報生成手段と、
前記アドレス情報に基づいて、前記光ディスクのトラックにデータの書き込みを行う書き込み手段と、を備えた光ディスクの書込装置。
【請求項５】
らせん状又は同心円状に伸びるトラックを有する光ディスクにおいて、
トラックに沿って正弦波状にウォブルさせて形成したグルーブと、
トラックに沿って設けたセクタブロックと、
各セクタブロックを複数に分割して設けたセクタと、
各セクタブロックの先頭のセクタに形成した同期マークと、
各セクタブロックのそれぞれに形成した正マークまたは負マークとからなる光ディスクであって、
該正マークは、トラック方向に第１幅Ｗ１でグルーブが不連続となる第１グルーブ不連続部で形成し、
該負マークは、トラック方向に第２幅Ｗ０でグルーブが不連続となる第２グルーブ不連続部で形成し、
該同期マークは、トラック方向に第３幅Ｗｓでグルーブが不連続となる第３グルーブ不連続部で形成したことを特徴とする光ディスク。